(57)【要約】【課題】靴用爪先パッドを提供する。【解決手段】靴内部の爪先部分の空間に対応する形状の通気性袋体と、該袋体内部に充填された球状発泡ポリスチレンビーズとからなる靴用爪先パッドであって、前記球状発泡ポリスチレンビーズの平均粒径は０．６ｍｍないし０．８ｍｍ、発泡倍率は３０倍ないし８０倍であり、前記通気性袋体の内部容積に対する前記球状発泡ポリスチレンビーズの充填率は３０％ないし５０％である靴用爪先パッド。本発明の靴用爪先パッドは、靴を履いたときヒトが足の爪先に受ける衝撃を緩和し、より快適に長時間の歩行や、疾走、跳躍等の運動を行い得る。【選択図】図１
2007175380.tif 000002
【特許請求の範囲】
【請求項１】
靴内部の爪先部分の空間に対応する形状の通気性袋体と、該袋体内部に充填された球状発泡ポリスチレンビーズとからなる靴用爪先パッドであって、
前記球状発泡ポリスチレンビーズの平均粒径は０．６ｍｍないし０．８ｍｍ、発泡倍率は３０倍ないし８０倍であり、
前記通気性袋体の内部容積に対する前記球状発泡ポリスチレンビーズの充填率は３０％ないし５０％である
ことを特徴とする靴用爪先パッド。
【請求項２】
前記通気性袋体及び／又は前記球状発泡ポリスチレンビーズが着色、芳香付与処理、消臭処理又は抗菌処理されていることを特徴とする、請求項１記載の靴用爪先パッド。
【発明の詳細な説明】
【技術分野】
【０００１】
本発明は、靴内部の爪先部分の空間に挿入して使用される靴用爪先パッド、より詳しくは、靴を履いたときヒトが足の爪先に受ける衝撃を緩和し、より快適に長時間の歩行や、疾走、跳躍等の運動を行い得る靴用爪先パッドに関するものである。
【背景技術】
【０００２】
従来、弾性材料からなる履物用フットケアパッド（特許文献１）や靴用サイズ調節具（特許文献２）が提案されている。特許文献１の履物用フットケアパッドは、中敷きの上面に着脱可能に装着するものであり、足の痛みの手当や疲れを予防するべく、２０〜４０°の硬度を有するエラストマーで構成されている。また、特許文献２の靴用サイズ調節具は、スポンジやフェルト等の弾性材料から製造されてなり、靴の爪先部分内に装着された場合に上記靴の底部の上面に当接する下側面と、前記場合に履用者の指先に当接する足側面と、前記場合に上記靴の甲部の内面に当接する爪先側面とを有する。
【特許文献１】特開２００４−１９４７３４公報
【特許文献２】実用新案登録第３０９６１４７号公報
【発明の開示】
【発明が解決しようとする課題】
【０００３】
図３に、特許文献１及び特許文献２から示唆され得る、従来技術の靴用爪先パッドの一例の斜視図を示す。図３の靴用爪先パッド１は、特許文献２の靴用サイズ調節具とほぼ同様の形状に形成され発泡ポリウレタンスポンジ２を、通気性袋体３内に収納したものである。
図４は、図３の靴用爪先パッド１を靴４の爪先部分内に装着し、ヒトが靴４を履いた状態を示す説明図である。
【０００４】
図４において、靴用爪先パッド１の、足５の指先に当接する部分（図中の下端部）は、最初は一点鎖線で示す初期位置線６の位置にあるが、足５の指先により全体が押圧されると、実線で示す位置まで移動する。即ち、靴用爪先パッド１の下端部全体が、初期位置線６の図中上方に移動する。
このとき、足５の指先は、爪先パッド１内の発泡ポリウレタンスポンジ２を押圧するので、発泡ポリウレタンスポンジ２からの反発力７を受ける。発泡ポリウレタンスポンジ２は通常一体形状のものであり、押圧された場合も下端部全体が変形するのみなので、押圧力に応じた反発力７を生じ、該反発力７はときとしてかなり大きくなる。また、発泡ポリウレタンスポンジ２は、足５の指先の間の形状に充分倣うことができず、反発力７が足５の爪先に集中する傾向が大きい。
反発力７があまり大きくなると、ヒトは足５の指先、特に爪先に不快感を感じ、このような靴を履いての長時間の歩行や、疾走、跳躍等の運動に支障をきたす。靴用爪先パッド１において使用する弾性材料を発泡ポリウレタンからフェルトに代えても、この問題を解決することはできない。
【０００５】
従って、靴内部の爪先部分の空間に挿入して使用され、衝撃を緩和して足の爪先を保護するとともに、長時間の歩行や、疾走、跳躍等の運動においても、足の爪先を強く押し返すことがなく、足の爪先への負荷が少ない靴用爪先パッドが強く求められている。
【０００６】
本発明は、前記従来技術の問題点を解決するためのものであり、その目的とするところは、靴の履用時、従来の同種のものに比してヒトの足の爪先に加わる衝撃を格段に緩和させることができると共に足の爪先を強く押し返すことがなく、よって、ヒトの足の爪先を
適切に保護し、且つ靴の履用を一層快適なものとすることができる靴用爪先パッドを提供することにある。
【課題を解決するための手段】
【０００７】
本発明の靴用爪先パッドは、弾性材料として、従来の発泡ポリウレタンやフェルトに代えて発泡ポリスチレンビーズを使用する。従来、発泡ポリスチレンビーズはボディクッション等の緩衝材として使用されることが多く、靴用爪先パッドに適用した例は無い。
【０００８】
即ち、本発明の靴用爪先パッドは、靴内部の爪先部分の空間に対応する形状の通気性袋体と、該袋体内部に充填された球状発泡ポリスチレンビーズとからなる靴用爪先パッドであって、
前記球状発泡ポリスチレンビーズの平均粒径は０．６ｍｍないし０．８ｍｍ、発泡倍率は３０倍ないし８０倍であり、
前記通気性袋体の内部容積に対する前記球状発泡ポリスチレンビーズの充填率は３０％ないし５０％である
ことを特徴とする。
【０００９】
前記通気性袋体及び／又は前記球状発泡ポリスチレンビーズは、適する芳香剤により芳香付与処理されているか、又は、適する消臭剤により消臭処理されているか、又は、適する抗菌剤により抗菌処理されていることが好ましい。
また、前記通気性袋体及び／又は前記球状発泡ポリスチレンビーズは、無色であってもよいが、所望により、適する色（模様を含む）に着色されていてもよい。
【発明の効果】
【００１０】
本発明の靴用爪先パッドは、靴内部の爪先部分の形状に倣い得るよう成形された通気性袋体に、平均粒径０．６ｍｍないし０．８ｍｍ及び発泡倍率は３０倍ないし８０倍の球状発泡ポリスチレンビーズが、前記通気性袋体の内容積に対する前記球状発泡ポリスチレンビーズの充填率３０％ないし５０％で密封充填されてなるため、以下に例示するような種々の効果を奏する。
１）球状発泡ポリスチレンビーズの緩衝作用により、靴の履用時、従来の同種のものに比してヒトの足の爪先に加わる衝撃が格段に緩和され、長時間の歩行や、疾走、跳躍等の運動において、ヒトの足の爪先を適切に保護することができる。
２）球状発泡ポリスチレンビーズの平均粒径及び発泡倍率、並びに、通気性袋体の内容積に対する充填率を最適に選択したことにより、通気性袋体内で球状発泡ポリスチレンビーズが、ヒトの足の爪先形状に倣い且つヒトの足指から受ける押圧力を緩和するように流動し、よって、靴の履用時、ヒトの足の爪先が強く押し返されることがなく、不快感が生じないので、長時間にわたる靴の履用を一層快適なものとすることができる
３）靴の種類（男性用、女性用、大人用、子供用、若者用、高齢者用、通勤・通学用、レジャー用等）に応じて、本発明の靴用爪先パッドの大きさ、形状；通気性袋体の材質；球状発泡ポリスチレンビーズの平均粒径、発泡倍率；前記通気性袋体の内容積に対する前記球状発泡ポリスチレンビーズの充填率；芳香剤、消臭剤、抗菌剤の種類や量、等を適宜選択し得るので、適用範囲が広い。
【発明を実施するための最良の形態】
【００１１】
本発明の靴用爪先パッドに使用する通気性袋体は、天然繊維及び／又は合成繊維からなる織布又は不織布であってよい。前記通気性袋体の大きさ、形状、通気性の程度、色、模様、縫製方法等は、靴の種類に応じて適宜選択する。通気性袋体に、所望量の着色剤、芳香剤、消臭剤、抗菌剤、或いは必要に応じて更なる添加剤を適切な量、付着、混入又は塗布してよい。
【００１２】
本発明の靴用爪先パッドに使用する球状発泡ポリスチレンビーズの平均粒径が小さ過ぎると、互いの摩擦が大きくなり、流動性が悪くなる。また、通気性袋体の目地の間隙から漏れ出す可能性がある。反対に、前記球状発泡ポリスチレンビーズの平均粒径が大き過ぎると、粒子相互の間隙が大きくなり、球状発泡ポリスチレンビーズ全体として、ヒトの足の爪先の形状に倣うことが困難になる。従って、前記球状発泡ポリスチレンビーズの平均粒径は０．６ｍｍないし０．８ｍｍとした。
【００１３】
前記球状発泡ポリスチレンビーズの発泡倍率が小さ過ぎると、弾性が小さくなり、緩衝作用が低下する。反対に、前記球状発泡ポリスチレンビーズの空隙率が大き過ぎると、剛性が小さくなり過ぎて、押圧時に流動せずに圧縮され変形する傾向が大きくなる。従って、前記球状発泡ポリスチレンビーズの発泡倍率は３０倍ないし〜８０倍とした。球状発泡ポリスチレンビーズの製造時に、発泡倍率を前記範囲内で適宜選択する。前記球状発泡ポリスチレンビーズの発泡倍率３０倍ないし８０倍は、ほぼ空隙率９６％ないし９９％に対応する。
【００１４】
前記通気性袋体の内容積に対する前記球状発泡ポリスチレンビーズの充填率が小さ過ぎると、球状発泡ポリスチレンビーズの量が不足し、緩衝作用が低下する。反対に、前記球状発泡ポリスチレンビーズの充填率が大き過ぎると、前記通気性袋体内で球状発泡ポリスチレンビーズが流動し難くなる。従って、前記通気性袋体の内容積に対する前記球状発泡ポリスチレンビーズの充填率は３０％ないし５０％とした。
【００１５】
本発明の靴用爪先パッドにおいて、球状発泡ポリスチレンビーズの平均粒径は特に重要な特性であり、また、通気性袋体の内容積に対する球状発泡ポリスチレンビーズの充填率は、靴用爪先パッドの良好な装着感を得るうえで特に重要である。
【００１６】
本発明の靴用爪先パッドに使用する球状発泡ポリスチレンビーズは、表面が平滑であることが好ましい。また、必要に応じて、所望量の着色剤、芳香剤、消臭剤、抗菌剤、或いは必要に応じて更なる添加剤を付着、混入又は塗布してよい。
【実施例】
【００１７】
以下、図面に基づいて本発明をより詳細に説明する。
図１に、本発明の靴用爪先パッドの一例の斜視図を示す。図１の靴用爪先パッド８は、球状発泡ポリスチレンビーズ（平均粒径０．７ｍｍ及び発泡倍率５０倍）を、通気性袋体１０内に収納したものである（充填率４０％）。
図２は、図１の靴用爪先パッド８を靴４の爪先部分内に装着し、ヒトが靴４を履いた状態を示す説明図である。
図２において、靴用爪先パッド８の、足５の指先に当接する部分（図中の下端部）は、最初は一点鎖線で示す初期位置線１１の位置にあるが、足５の指先により押圧されると、実線で示す位置まで移動する。
しかしながら、図４の発泡ポリウレタンスポンジ２を使用した靴用爪先パッド１の場合と異なり、球状発泡ポリスチレンビーズ９は流動性を有するので、靴用爪先パッド８の下端部のうち、足５の指先に当接する部分は初期位置線１１の図中上方に移動するが、足５の指先の間に位置する部分は足５の指先の間に入り込み、初期位置線１１の図中下方に移動する。
図２と図４とを比較すると、図２においては、球状発泡ポリスチレンビーズ８がヒトの足５の爪先形状に倣って流動し、その結果、図２における球状発泡ポリスチレンビーズ８からの反発力１２は、図４における発泡ポリウレタンスポンジ２からの反発力７よりも小さくなっていることが判る。
【００１８】
＜性能評価試験＞
靴用爪先パッド内に充填する球状発泡ポリスチレンビーズの平均粒径及び、通気性袋体の内容積に対する前記球状発泡ポリスチレンビーズの充填率の適正範囲を求めるため、前記の平均粒径及び充填率を変化させて性能評価試験を行った。実験条件は以下の通りである。
Ｉ．実験条件
ａ）実験者：本発明者
ｂ）靴：本発明者のビジネス用革靴
ｃ）実施条件：靴用爪先パッドを装着した前記靴を履いて直線的に５０ｍ歩行後、５０ｍ疾走して戻った。
ｄ）評価基準
靴用爪先パッドの装着感（靴の履き心地）について、以下の基準に基づいて相対評価した（官能評価）。即ち、最も装着感（靴の履き心地）が良かったものを○、最も装着感（靴の履き心地）が悪かったものを×、これらの中間の装着感（靴の履き心地）のものを△とした。
【００１９】
II．球状発泡ポリスチレンビーズの平均粒径の効果について
図１に示す靴用爪先パッドと同形の靴用爪先パッドにおいて、球状発泡ポリスチレンビーズの平均粒径を０．１ｍｍ、０．７ｍｍ及び５ｍｍと変化させて実験を行った。球状発泡ポリスチレンビーズの発泡倍率は５０倍、充填率は４０％に固定した。結果を下記表１に示す。
表１：球状発泡ポリスチレンビーズの平均粒径の変動の影響
┌───────┬────────┬──┬───────────────┐
│実験番号      │平均粒径（ｍｍ）│評価│備考                          │
├───────┼────────┼──┼───────────────┤
│１（比較品）  │０．１          │△  │通気性袋体の目地から一部漏洩  │
├───────┼────────┼──┼───────────────┤
│２（本発明品）│０．７          │○  │良好な装着感（靴の履き心地）  │
├───────┼────────┼──┼───────────────┤
│３（比較品）  │５              │×  │足の爪先にゴツゴツした感覚有り│
└───────┴────────┴──┴───────────────┘
【００２０】
III ．球状発泡ポリスチレンビーズの充填率の効果について
図１に示す靴用爪先パッドと同形の靴用爪先パッドにおいて、球状発泡ポリスチレンビーズの充填率を２０％、４０％及び８０％と変化させて実験を行った。球状発泡ポリスチレンビーズの平均粒径は０．７ｍｍ、発泡倍率は５０倍に固定した。結果を下記表２に示す。
表２：球状発泡ポリスチレンビーズの充填率の変動の影響
┌───────┬──────┬──┬──────────────────┐
│実験番号      │充填率（％）│評価│備考                                │
├───────┼──────┼──┼──────────────────┤
│４（比較品）  │２０        │×  │足の爪先の一部が靴に直接当たる      │
├───────┼──────┼──┼──────────────────┤
│５（本発明品）│４０        │○  │良好な装着感（靴の履き心地）        │
├───────┼──────┼──┼──────────────────┤
│６（比較品）  │８０        │△  │足の爪先に対するパッドの押圧感が強い│
└───────┴──────┴──┴──────────────────┘
【００２１】
前述のII及びIII の実験結果から、球状発泡ポリスチレンビーズの平均粒径は０．６ｍｍないし０．８ｍｍ、充填率は３０％ないし５０％とすることが好ましいことが判る。
【図面の簡単な説明】
【００２２】
【図１】図１は、本発明の靴用爪先パッドの一例の斜視図である。
【図２】図２は、図１の靴用爪先パッドを靴の爪先部分内に装着し、ヒトが靴を履いた状態を示す説明図である。
【図３】図３は、従来の靴用爪先パッドの一例の斜視図である。
【図４】図４は、図３の靴用爪先パッドを靴の爪先部分内に装着し、ヒトが靴を履いた状態を示す説明図である。
【符号の説明】
【００２３】
１，８：靴用爪先パッド                ２：発泡ポリウレタンスポンジ
３，１０：通気性袋体                  ４：靴
５：足                                ６，１１：初期位置線                      ７，１２：反発力                      ９：球状発泡ポリスチレンビーズ
【図１】
2007175380.tif 000003
【図２】
2007175380.tif 000004
【図３】
2007175380.tif 000005
【図４】
2007175380.tif 000006